(57)【特許請求の範囲】
【請求項１】
パルセーターと、減速クラッチと、パルセーター連結ユニットと、を含み、前記減速クラッチは回転軸を備え、前記パルセーターと回転軸とを取り外し可能に連結固定するように、前記パルセーター連結ユニットと前記回転軸とが係合して連結固定され、
前記パルセーター連結ユニットはロック部材を含み、
前記ロック部材は、ロックピン及び収容チャンバーを有し、
前記回転軸の一端が前記パルセーターを貫通して前記収容チャンバー内に位置し、かつ前記ロックピンと係合して連結固定することで、前記パルセーターの回転軸の軸方向における移動を制限することを特徴とする洗濯機。
【請求項２】
前記パルセーター連結ユニットは、スプラインとロック部材とを含み、前記パルセーターがスプラインにより前記回転軸と連結することを特徴とする請求項１に記載の洗濯機。
【請求項３】
前記パルセーター連結ユニットは、保護カバーとカバー押圧ばねとを更に含み、前記保護カバーに前記ロック部材を収容する収容孔が設けられ、前記保護カバーの底面に係止フックが若干設けられ、前記係止フックはパルセーターにあらかじめ設けられた係止孔と互いに係合し、前記カバー押圧ばねの一端が前記保護カバーの底面に当接し、他端が前記パルセーターに当接することを特徴とする請求項２に記載の洗濯機。
【請求項４】
前記パルセーターに前記カバー押圧ばねを収容するための第１凹溝が設けられ、前記カバー押圧ばねの前記パルセーターに当接する一端が前記第１凹溝内に位置することを特徴とする請求項３に記載の洗濯機。
【請求項５】
前記保護カバーの底面に補強リブが更に設けられ、前記保護カバーが前記収容孔の軸方向に沿って運動することをガイドするように、前記補強リブは前記パルセーターにあらかじめ設けられたガイド孔とマッチングすることを特徴とする請求項４に記載の洗濯機。
【請求項６】
前記パルセーター連結ユニットは、スプラインを含み、前記パルセーターがスプラインにより前記回転軸と連結することを特徴とする請求項１に記載の洗濯機。
【請求項７】
前記ロック部材は、パルセーターロックスリーブと、パルセーターロックキャップと、を含み、前記パルセーターロックスリーブは前記パルセーターと連結固定し、前記パルセーターロックキャップは前記パルセーターロックスリーブと係合して連結固定し、前記ロックピンは前記パルセーターロックキャップと係合して連結固定し、前記パルセーターロックキャップが前記収容チャンバーを有することを特徴とする請求項６に記載の洗濯機。
【請求項８】
前記ロックピンは、取手部と、前記取手部から同一側へ延伸する両弾性係止フック及び両挟持アームと、を含み、前記両弾性係止フックが両挟持アームの外側に位置し、前記ロックピンを前記収容チャンバーに挿入するための挿入孔及び前記挿入孔の両側に位置し、かつ前記両弾性係止フックとマッチングする固定孔が前記パルセーターロックキャップに設けられ、前記回転軸に環状に配置される第３凹溝を有し、前記両挟持アームが前記第３凹溝内に位置し、かつ前記回転軸を挟持固定することを特徴とする請求項７に記載の洗濯機。
【請求項９】
前記パルセーターは、ステンレス鋼材で製造されることを特徴とする請求項１に記載の洗濯機。
【発明の詳細な説明】
【技術分野】
【０００１】
本発明は、洗濯機分野に関し、特に、洗濯機に関する。
【背景技術】
【０００２】
社会の進歩及び発展につれ、人々は益々自分の生活の質を重視してきている。人々は、洗濯機を一定期間使用すると、パルセーターの裏側、内槽の底面、内槽の外壁及び外槽の内壁といった見えない場所に汚れ及び細菌が隠れていることに気づき始め、定期的に掃除しなければならなくなっていた。しかし、従来技術において、パルセーターと回転軸との間は通常ねじ締付の方式で固定されており、ねじの取り外し又は取り付けが不便で、かつ着脱過程で損傷しやすいため、洗濯機の寿命に影響を及ぼしている。
【０００３】
上記の内容は、本発明の技術的解決手段への理解を補助するに過ぎず、上記の内容が従来技術であると認めているわけではない。
【発明の概要】
【発明が解決しようとする課題】
【０００４】
本発明の主要目的は、パルセーターの着脱の難易度を下げて、洗濯機の寿命を延長できる洗濯機を提供することである。
【課題を解決するための手段】
【０００５】
上記目的を達成するため、本発明は洗濯機を提供し、前記洗濯機はパルセーターと、減速クラッチと、パルセーター連結ユニットと、を含み、前記減速クラッチは回転軸を備え、前記パルセーターと回転軸とを取り外し可能に連結固定するように、前記パルセーター連結ユニットと前記回転軸とが係合して連結固定され、前記パルセーター連結ユニットはロック部材を含み、前記ロック部材は、ロックピン及び収容チャンバーを有し、前記回転軸の一端が前記パルセーターを貫通して前記収容チャンバー内に位置し、かつ前記ロックピンと係合して連結固定することで、前記パルセーターの回転軸の軸方向における移動を制限する。
【０００６】
好ましくは、前記パルセーター連結ユニットは、スプラインとロック部材とを含み、前記パルセーターがスプラインにより前記回転軸と連結する。
【００１０】
好ましくは、前記パルセーター連結ユニットは、保護カバーとカバー押圧ばねとを更に含み、前記保護カバーに前記ロック部材を収容する収容孔が設けられ、前記保護カバーの底面に係止フックが若干設けられ、前記係止フックはパルセーターにあらかじめ設けられた係止孔と互いに係合し、前記カバー押圧ばねの一端が前記保護カバーの底面に当接し、他端が前記パルセーターに当接する。
【００１１】
好ましくは、前記パルセーターに前記カバー押圧ばねを収容するための第１凹溝が設けられ、前記カバー押圧ばねの前記パルセーターに当接する一端が前記第１凹溝内に位置する。
【００１２】
好ましくは、前記保護カバーの底面に補強リブが更に設けられ、前記保護カバーが前記収容孔の軸方向に沿って運動することをガイドするように、前記補強リブは前記パルセーターにあらかじめ設けられたガイド孔とマッチングする。
【００１３】
好ましくは、前記パルセーター連結ユニットは、スプラインを含み、前記パルセーターがスプラインにより前記回転軸と連結する。
【００１４】
好ましくは、前記ロック部材は、パルセーターロックスリーブと、パルセーターロックキャップと、を含み、前記パルセーターロックスリーブは前記パルセーターと連結固定し、前記パルセーターロックキャップは前記パルセーターロックスリーブと係合して連結固定し、前記ロックピンは前記パルセーターロックキャップと係合して連結固定し、前記パルセーターロックキャップが前記収容チャンバーを有する。
【００１５】
好ましくは、前記ロックピンは、取手部と、前記取手部から同一側へ延伸する両弾性係止フック及び両挟持アームと、を含み、前記両弾性係止フックが両挟持アームの外側に位置し、前記ロックピンを前記収容チャンバーに挿入するための挿入孔及び前記挿入孔の両側に位置し、かつ前記両弾性係止フックとマッチングする固定孔が前記パルセーターロックキャップに設けられ、前記回転軸に環状に配置される第３凹溝を有し、前記両挟持アームが前記第３凹溝内に位置し、かつ前記回転軸を挟持固定する。
【００２４】
好ましくは、前記パルセーターは、ステンレス鋼材で製造される。
【発明の効果】
【００２５】
本発明の実施例は、パルセーター連結ユニットを設置することにより、パルセーター連結ユニットと回転軸とが係合して連結固定することで、パルセーターと回転軸との取り外し可能な連結固定を実現する。これにより、従来技術におけるねじ方式による固定に比べると、効果的にパルセーターの取り外し難易度を下げることができ、洗濯機の着脱時の部品の損傷を減らし、洗濯機の寿命を延長できる。
【図面の簡単な説明】
【００２６】
【図１】図１は、本発明の洗濯機の一実施例に係る組立模式図である。
【図２】図２は、図１におけるＡ部分の拡大構造を示す模式図である。
【図３】図３は、図２における保護カバーの構造を示す模式図である。
【図４】図４は、図２におけるロック部材本体の構造を示す模式図である。
【図５】図５は、図２における回転軸の構造を示す模式図である。
【図６】図６は、図１におけるパルセーターの構造を示す模式図である。
【図７】図７は、本発明の洗濯機の別の実施例に係る組立模式図である。
【図８】図８は、図７におけるＢ部分の拡大構造を示す模式図である。
【図９】図９は、図７におけるパルセーターのロックキャップとロックピンとの組立構造を示す模式図である。
【図１０】図１０は、本発明の洗濯機の更なる実施例に係る組立模式図である。
【図１１】図１１は、図１０におけるＣ部分の部分拡大図である。
【図１２】図１２は、図１１におけるパルセーターロックの断面図である。
【図１３】図１３は、本発明の洗濯機の一実施例におけるパルセーターの断面図である。
【図１４】図１４は、本発明の洗濯機の一実施例における減速クラッチの断面図である。
【発明を実施するための形態】
【００２７】
本発明の目的の達成、機能・特徴及び利点について、添付図面を基に実施例を組み合わせて更なる説明を行う。
【００２８】
なお、ここで記述する具体的な実施例は、あくまでも本発明の技術内容を説明するものであって、本発明が限定されるものではない。
【００２９】
本発明の技術的解決手段は、構造の異なるロック部材でパルセーター１０を回転軸２０の軸方向にロックできる。図７乃至図９に示すように、本発明の好適な実施例において、上記パルセーター連結ユニットは、スプライン３０とロック部材とを含み、前記パルセーター１０がスプラインにより前記回転軸２０と連結し、前記ロック部材が前記回転軸２０と係合して連結固定し、かつ前記パルセーター１０と連結固定することで、前記パルセーター１０の回転軸２０の軸方向における移動を制限する。
【００３０】
具体的に、本実施例において、上記ロック部材は、パルセーターロックスリーブ４５とパルセーターロックキャップ４６とロックピン４７とを含み、前記パルセーターロックスリーブ４５は、前記パルセーター１０と連結固定し、前記パルセーターロックキャップ４６が前記パルセーターロックスリーブ４５と係合して連結固定し、前記ロックピン４７が前記パルセーターロックキャップ４６と係合して連結固定し、前記パルセーターロックキャップ４６は、収容チャンバーを備え、前記回転軸２０の一端が前記パルセーター１０とパルセーターロックスリーブ４５とを通って前記収容チャンバー内に位置し、かつ前記ロックピン４７と係合して連結固定する。
【００３１】
上記ロックピン４７は、取手部４７１と、取手部４７１から同一側へ延伸する両弾性係止フック４７２及び両挟持アーム４７３を含み、前記両弾性係止フック４７２が両挟持アーム４７３の外側に位置し、前記ロックピン４７を前記収容チャンバーに挿入するための挿入孔及び前記挿入孔両側に位置し、かつ前記両弾性係止フック４７２とマッチングする固定孔を前記パルセーターロックキャップ４６に設け、前記回転軸２０に環状に配置される第３凹溝２４を有し、前記両挟持アーム４７３が前記第３凹溝２４内に位置し、かつ前記回転軸２０を挟持固定する。
【００３２】
本実施例において、パルセーターロックキャップ４６のパルセーターロックスリーブ４５に向かう側に係止爪及び位置決めロッドを設けており、パルセーターロックスリーブ４５の係止爪に対応する位置に方形孔を設け、位置決めロッドに対応する位置に位置決め孔を設ける。取り付け時、まずパルセーターロックキャップ４６を係止爪及び位置決めロッドで組み立てて全体を形成してから、この全体をねじ締め方式でパルセーター１０に取り付けて固定する。最後にロックピン４７を挿入孔を介して収容チャンバー内に差し込み、両弾性係止フック４７２が対応する固定孔内に係合固定されるまで、両挟持アームで第３凹溝２４内に挟持することで、パルセーター１０の回転軸２０の軸方向における運動を制限する。
【００３３】
本発明は、洗濯機を提供し、図１乃至図６を参照すると、その他の実施例において、前記洗濯機がパルセーター１０と減速クラッチとパルセーター連結ユニットとを含み、前記減速クラッチが回転軸２０を備え、前記パルセーター１０と回転軸２０とを取り外し可能に連結固定するように、前記パルセーター連結ユニットと前記回転軸２０とが係合して連結固定する。
【００３４】
本発明の実施例は、パルセーター連結ユニットを設置することにより、パルセーター連結ユニットと回転軸とが係合して連結固定することで、パルセーター１０と回転軸２０との取り外し可能な連結固定を実現する。これにより、従来技術におけるねじ方式による固定に比べると、効果的にパルセーター１０の取り外し難易度を下げることができ、洗濯機の着脱時の部品の損傷を減らし、洗濯機の寿命を延長できる。
【００３５】
ここで理解すべき点は、上記パルセーター連結ユニットの構造は実際のニーズに応じて設定できる。例えば、一実施例において、該パルセーター連結ユニットは、パルセーター１０と回転軸２０とを取り外し可能に連結固定し、前記パルセーター連結ユニットは、スプライン３０とロック部材とを含み、前記パルセーター１０がスプライン３０により前記回転軸２０と連結し、前記ロック部材が前記回転軸２０と取り外し可能に連結固定し、かつ前記パルセーター１０に当接することで、前記パルセーター１０の回転軸２０の軸方向における移動を制限する。
【００３６】
上記パルセーター連結ユニットは、主にパルセーター洗濯機に応用されてパルセーター１０と回転軸２０との固定を実現する。本実施例において、上記回転軸２０は、パルセーター１０の回転を制御するための減速クラッチの回転軸である。具体的には、パルセーター１０の上面の中心位置に収容空間を設けてロック部材を取り付けると共に収容するために用いられ、かつ利用者が取り外す際に使用できるように、収容空間の側壁とロック部材の外壁との間に隙間を設ける。
【００３７】
本発明は、スプライン３０でパルセーター１０を前記回転軸２０と連結することで、パルセーター１０と回転軸２０との間の相対回転を制限し、同時にロック部材により前記回転軸２０と係合して連結固定できることで、前記パルセーター１０の回転軸２０の軸方向における移動を制限し、係合固定の方式によりパルセーター１０を固定するため、従来技術のねじ方式による固定に比べると、効果的にパルセーター１０の取り外し難易度を下げることができ、洗濯機の着脱時の部品の損傷を減らし、洗濯機の寿命を延長できる。
【００３８】
ここで理解すべき点は、上記ロック部材の構造は実際のニーズに応じて設置できる。本実施例において、好ましくは、上記ロック部材は係合スリーブ４１とロック部材本体４２とロック押圧ばね４３とサークリップ４４とを含み、前記係合スリーブ４１に前記ロック部材本体４２を収容するための貫通孔４１２を設けており、前記貫通孔４１２の底端に移動制限段差４１１を凸設し、前記ロック部材本体４２は、前記貫通孔４１２内において貫通孔４１２の軸方向に沿って移動でき、かつ前記ロック部材本体４２の底端が内方へ凹んで前記回転軸２０を収容するための収容キャビティ４２１を形成し、前記ロック押圧ばね４３の上端が前記ロック部材本体４２に当接し、底端が前記移動制限段差４１１に当接し、前記サークリップ４４は、ロック部材本体４２の外壁と取り外し可能に連結固定し、かつ前記移動制限段差４１１の下方に位置し、前記移動制限段差４１１に当接することで、前記ロック部材本体４２が前記貫通孔４１２内で貫通孔４１２の軸方向に沿って移動する距離を制限し、前記ロック部材本体４２の外壁の前記移動制限段差４１１に対応する位置に前記収容キャビティ４２１を貫通する移動制限孔４２３を設けており、前記移動制限孔４２３内に移動制限凸部４２２を設けており、前記移動制限凸部４２２が前記回転軸２０にあらかじめ設けられた移動制限溝２１と互いに当接支持して係合する。
【００３９】
具体的には、上記ロック部材本体４２の外壁に前記サークリップ４４とマッチングする係止溝４２４を設けており、前記サークリップ４４は、前記係止溝４２４内に位置し、かつ前記ロック部材本体４２と係合して連結固定する。上記移動制限段差４１１の形状は、実際のニーズに応じて設定でき、該移動制限段差４１１は環状段差であることが好ましい。具体的には、該環状段差の内径は、サークリップ４４の外径より小さいことで、ロック部材本体４２がロック押圧ばね４３の作用力により上方向に運動する時、サークリップ４４は移動制限段差４１１に当接支持してロック部材本体４２が引き続き上方向に運動することを制限できる。ここで理解すべき点は、ロック部材本体４２のロック押圧ばね４３に当接するための構造は実際のニーズに応じて設定できる。本実施例において、好ましくは、ロック部材本体４２の上端の外壁から外方へ延伸して環状段差を形成して当接する。
【００４０】
更に、上記移動制限孔４２３及び移動制限凸部４２２の構造は、いずれも実際のニーズに応じて設置できる。本実施例において、好ましくは、前記移動制限孔４２３は、円錐形孔で、かつ円錐形孔の収容キャビティ４２１と連通する一端の内径が他端の内径より小さく、前記移動制限凸部４２２は、球体である。具体的には、該移動制限凸部４２２の数量及び位置は、実際のニーズに応じて設置でき、好ましくはバランスの安定性を保持するため、上記移動制限凸部４２２は少なくとも４個で、かつ前記ロック部材本体４２の同一円周上に均一に設けられる。取り付けの利便性を図るため、上記移動制限溝２１は環状凹溝であることが好ましい。
【００４１】
取り付け時、まずパルセーター１０は、スプライン３０により回転軸２０と連結し、次に移動制限凸部４２２を各々対応する移動制限孔４２３内に入れてから、ロック部材本体４２の外周上にロック押圧ばね４３を嵌め込んだ後、係合スリーブ４１の貫通孔４１２内に挿入し、ロック押圧ばね４３を係合スリーブ４１の移動制限段差４１１に当接させ、引き続き下向きの作用力をかけてばねを変形させることで、ロック部材本体４２の底部を貫通孔４１２から突出させ、次にロック部材本体４２の係止溝４２４内にサークリップ４４を取り付けて固定することで、ロック部材を形成する。
【００４２】
次に、ロック部材をパルセーター１０に設置し、ロック部材本体４２の収容キャビティ４２１の部分に回転軸２０を収容させ、その後、外力をかけてロック部材本体４２を下に押し、ロック部材本体４２にロック押圧ばね４３の収縮方向に沿って相対運動を発生させ、移動制限段差４１１と移動制限凸部４２２をずれさせ、同時に移動制限凸部４２２がロック部材本体４２と係合スリーブ４１との間の隙間に向かって運動し、回転軸２０のために待避所を提供する。移動制限凸部４２２が回転軸２０上の移動制限溝２１に正対する時、移動制限凸部４２２は移動制限溝２１内に向かって摺動し、この時外力を除去すると、ロック部材が自然状態に戻り、移動制限凸部４２２の一端が移動制限溝２１に当接支持され、他端が移動制限段差４１１に当接することで、ロック部材と回転軸２０との係合を実現し、ロック押圧ばね４３の作用力によって係合スリーブ４１がパルセーター１０を当接支持して押圧することで、パルセーターの回転軸２０の軸方向における運動を制限する。
【００４３】
取り外し時、係合スリーブ４１を引き上げて移動制限段差４１１と移動制限凸部４２２をずれさせ、移動制限段差４１１に待避空間を持たせ、その後、上方に向かってロック部材を引っ張るだけでよい。
【００４４】
更に、上記実施例により、本実施例において上記パルセーター連結ユニットは、保護カバー５０とカバー押圧ばね６０とを更に含み、前記保護カバー５０に前記ロック部材を収容するための収容孔５３を設け、前記保護カバー５０の底面に若干の係止フック５１を設けており、前記係止フック５１がパルセーターにあらかじめ設けられた係止孔１２と互いに係合し、前記カバー押圧ばね６０の一端が前記保護カバー５０の底面に当接し、他端が前記パルセーター１０に当接する。
【００４５】
本実施例において、カバー押圧ばね６０の取り付けの利便性のため、上記パルセーター１０に前記カバー押圧ばね６０を収容するための第１凹溝１１を設け、前記カバー押圧ばね６０の前記パルセーター１０に当接する一端は、前記第１凹溝１１内に位置する。また、上記保護カバー５０の底面に補強リブ５２を更に設けており、前記保護カバー５０が前記収容孔５３の軸方向に沿って運動することをガイドするように、前記補強リブ５２は前記パルセーター１０にあらかじめ設けられたガイド孔１３とマッチングする。
【００４６】
具体的には、取り付け時、まずカバー押圧ばね６０を第１凹溝１１内に入れ、作用力により保護カバー５０を下に押し、係止フック５１を係止孔１２に貫通させると同時に補強リブ５２をガイド孔１３に貫通させ、圧力を解放した後、カバー押圧ばね６０と係止フック５１とがマッチングすることにより、保護カバー５０を固定する。この時、保護カバー５０の上面と係合スリーブ４１の上面が面一になる。保護カバー５０を下に押すと、係合スリーブ４１の着脱のために手指の操作空間をあけることができ、好ましくは、補強リブ５２と収容孔５３とからなる収容空間が逆置き凸台構造を呈し、保護カバー５０が最高位置まで上昇した時（すなわち、保護カバー５０の上面と係合スリーブ４１の上面とが面一になった時）、補強リブ５２と収容孔５３とからなる収容空間が係合スリーブ４１の逆置き凸台の外形とマッチングすることで、保護カバー５０の離脱を制限する。
【００４７】
ここで理解すべき点は、上記係止フック５１及び補強リブ５２の数量は、実際のニーズに応じて設定できる。本実施例において、保護カバー固定の安定性を確保するため、好ましくは係止フック５１及び補強リブ５２はいずれも４本で、かつ４本の係止フック５１が保護カバー５０の外側に近い同一円周上に均一に分布し、４本の補強リブ５２が保護カバー５０の内側に近い同一円周上に均一に分布する。
【００４８】
図１０乃至図１４を参照すると、別の実施例において、上記パルセーター連結ユニットは、その他の構造を採用できる。以下、この点について詳細な説明を行う。
【００４９】
好ましくは、本実施例において上記パルセーター連結ユニットはパルセーターロックである。本実施例において提供する洗濯機は、パルセーターロック７０とパルセーター１０と減速クラッチとを含む。減速クラッチの中部に直立に設けられた回転軸２０を有し、パルセーター１０を回転軸２０の上部に取り付け、パルセーター１０は取付孔８０を備え、回転軸２０の上端が取付孔８０から突出し、パルセーターロック７０に取付溝７８及び係止部７３を設け、前記係止部７３が前記取付溝７８の内壁を突き抜けて前記取付溝７８内に延伸し、回転軸２０に係止部７３と係合する被係止部２２を設けており、係止部７３と被係止部２２との係合によりパルセーター１０を回転軸２０にしっかりと固定する。本実施例において、前記被係止部２２は環状に配置される第２凹溝であることが好ましい。
【００５０】
本発明に係る洗濯機は、パルセーターロック７０によりパルセーター１０を減速クラッチの上端にしっかりと固定し、外部工具の助けを借りる必要がなく、簡単な手の動作によりパルセーター１０の迅速な着脱を実現でき、パルセーター１０の着脱が便利で迅速になり、かつ着脱過程における部品の損傷が比較的小さく、パルセーター等の部品の掃除がしやすくなる。
【００５１】
本実施例のパルセーターロック７０の具体的構造は、図１２に示すように、中空円柱状のロック本体７１とロックスリーブ部材７２と弾性部材７５と軸方向リミッタ部材７６と係止部７３とを含み、ロック本体７１の中空部が取付溝７８を形成し、係止部７３は好ましくは４個の鋼球であり、その剛性が良くかつ摩耗しにくく、弾性部材７５は、好ましくは圧縮ばねであり、その他の実施例において他の復元性が良い弾性部材を選択することもでき、軸方向リミッタ部材７６は、好ましくはサークリップであり、圧縮ばね（弾性部材）７５及びロックスリーブ部材７２は、いずれも中空円柱体であり、ロック本体７１が中空円柱状の本体７１２と本体７１２の上端に形成された円柱状の密封部７１３とを含み、密封部７１３の半径が本体７１２の外半径より大きく、ロックスリーブ部材７２は、サークリップ７６によりロック本体７１の外部に嵌設され、前記ロックスリーブ部材７２がロック本体７１の底端内側から内方へ延伸して突起部７２１を設け、サークリップ（軸方向リミッタ部材）７６が突起部７２１の底部に係止され、圧縮ばね７５がロック本体７１とロックスリーブ部材７２との間に設置されると共にロック本体７１に嵌め込まれ、密封部７１３がロックスリーブ部材７２内に位置し、かつ圧縮ばね７５の頂部に押圧され、ロック本体７１の下端には、円周上に４本の径方向に沿って延伸し、ロック本体７１の外部及び取付溝７８の通路を貫通する円錐台状通路７１１を設け、円錐台状通路７１１の取付溝７８に近い箇所の孔径が取付溝７８から離れた箇所の孔径より小さく、４本の円錐台状通路７１１がロック本体７１の円周上に均一に分布し、４個の鋼球（係止部）７３が各々４本の円錐台状通路７１１内に置かれると共にその中を移動でき、ロックスリーブ部材７２の底端内側の円錐台状通路７１１に対応する位置に４個の突起部７２１を設け、４個の鋼球７３を支持するために用いられ、圧縮ばね７５の底部と突起部７２１の頂部とが接触し、外力をかけた時、ロック本体７１及びロックスリーブ部材７２は、圧縮ばね７５の圧縮方向に沿って相対運動でき、ロックスリーブ部材７２の突起部７２１と鋼球７３との位置がずれ、ロック本体７１とロックスリーブ部材７２との間の鋼球７３の位置に一定の隙間が生じ、鋼球７３がパルセーターロック７０の円錐台状通路７１１において径方向に移動できる。
【００５２】
更に、図１３に示すように、回転軸２０上部に軸方向に沿って第１スプライン２３を設けており、取付孔８０の内壁に第１スプライン２３とマッチングする第２スプライン８１を設ける。パルセーター１０は、第１スプライン２３と第２スプライン８１とのマッチングにより回転軸２０に取り付けられる。
【００５３】
具体的に、パルセーターロック７０を取り付ける時、片手でロック本体７１を押し、もう一方の手でロックスリーブ部材７２を上方向に引っ張り、ロックスリーブ部材７２はロック本体７１に対して上方向に運動し、ロックスリーブ部材７２の内側の突起部７２１と鋼球７３との位置ずれが発生し、ロック本体７１とロックスリーブ部材７２との間の鋼球７３の位置において一定のスペースが生じ、鋼球７３が円錐台状通路内においてロック部材本体１１から離れる方向に向かって移動する。パルセーターロック７０を回転軸２０の上端に嵌設して係止部７３を突出させて第２凹溝（被係止部）２２内に係止させ、パルセーターロック７０の鋼球７３と減速クラッチの回転軸２０の第２凹溝２２とを合わせた時、鋼球７３の円錐台状通路７１１内から露出する部分が第２凹溝２２内に係止し、この時、外力作用を除去すると、パルセーターロック７０の鋼球７３と減速クラッチの回転軸２０の第２凹溝２２とが嵌合し、ロックスリーブ部材７２の内側の突起部７２１によって支持され、パルセーターロック７０と減速クラッチの回転軸２０との嵌合連結を実現する。
【００５４】
パルセーター１０を取り外す時、手でロックスリーブ部材７２を上方向に引っ張り、ロックスリーブ部材７２はロック本体７１に対して上方向に運動し、ロックスリーブ部材７２の内側の突起部７２１と鋼球７３との位置ずれが発生し、鋼球７３が減速クラッチの回転軸２０によりロックスリーブ部材７２とロック本体７１との間の隙間内に押し込まれ、パルセーターロック７０全体が減速クラッチの回転軸２０の上方から離脱し、これによりパルセーター１０を減速クラッチの回転軸２０から取り外しやすくなり、別途補助工具の必要がなく、パルセーター１０の着脱が便利で迅速になり、かつ取り外し過程における部品の損傷が比較的小さく、パルセーター等の部品の掃除がしやすくなる。
【００５５】
本発明に係る洗濯機は、パルセーター１０がスプライン方式によって減速クラッチの回転軸２０に連結してから１つのパルセーターロック７０と減速クラッチの回転軸２０との連結によりパルセーター１０を減速クラッチの回転軸２０にしっかりと固定し、パルセーター１０の着脱が便利で迅速になり、かつ着脱過程における部品の損傷が比較的小さく、パルセーター１０の掃除がしやすく、洗濯機全体の寿命を延長できる。
【００５６】
ここで言及すべき点は、本実施例におけるパルセーターロック７０及びパルセーター１０は分離した装置であり、その他の実施例においてパルセーターロック７０はパルセーター１０に固設されることができ、ロックスリーブ部材７２がパルセーター１０と連結固定し、ロックスリーブ部材７２に外力をかけた時、パルセーター１０を減速クラッチから弾き出させることができ、パルセーター１０の着脱が便利になる。
【００５７】
ここで理解すべき点は、上記パルセーターの素材は実際のニーズに応じて設定でき、本  実施例において、好ましくは上記パルセーター１０はステンレス鋼材で製造される。金属構造でパルセーターを製造するため、構造上非常に硬度が高く、その底面にプラスチック製パルセーターのように補強のために設けた一連のリブがなく、従ってパルセーター連結ユニットとパルセーターを組み合わせて使用することで、洗浄がより一層便利で、デザインがシンプルで美しくなる。
【００５８】
本発明では好ましい実施例を前述の通り開示したが、これらは決して本発明の権利範囲を限定するものではなく、本発明の明細書及び添付図面の内容を利用してなされた同等効果の構成又はフローの変更、若しくは直接的又は間接的にその他の関連の技術分野に運用されることは、本発明の特許保護範囲内に含まれる。
【図１】
0006547066.tif 000002
【図２】
0006547066.tif 000003
【図３】
0006547066.tif 000004
【図４】
0006547066.tif 000005
【図５】
0006547066.tif 000006
【図６】
0006547066.tif 000007
【図７】
0006547066.tif 000008
【図８】
0006547066.tif 000009
【図９】
0006547066.tif 000010
【図１０】
0006547066.tif 000011
【図１１】
0006547066.tif 000012
【図１２】
0006547066.tif 000013
【図１３】
0006547066.tif 000014
【図１４】
0006547066.tif 000015